(57)【要約】【課題】燃料の大規模な保管場所を必要とせず、エネルギーセンタに対して必要な量及び必要な特性を有した燃料を安定して供給するのに好適なエネルギー供給システム、燃料情報管理用端末、エネルギー情報管理用端末、エネルギー消費情報管理用端末及びこれらの端末を制御する制御プログラムを提供する。【解決手段】エネルギー供給システム１を、複数の廃棄物収集所１０と、複数の燃料生成施設１１と、エネルギー生成施設１２と、エネルギー消費施設１３と、を含んだ構成とし、燃料生成施設１１の備える燃料情報管理用端末１１ｃとエネルギー生成施設１２の備えるエネルギー情報管理用端末１２ｂとを互いに通信可能に接続し、前記エネルギー情報管理用端末１２ｂとエネルギー消費施設１３の備えるエネルギー消費情報管理用端末１３ａとを互いに通信可能に接続した。【選択図】      図１
2005040698.tif 000002
【特許請求の範囲】
【請求項１】
廃棄物から燃料を生成する燃料生成施設と、前記燃料からエネルギーを生成するエネルギー生成施設と、前記エネルギーを消費して所定の作業を行うエネルギー消費施設と、を備え、
前記エネルギー生成施設は、前記エネルギー消費施設が所定期間に消費する予定の燃料量である予定燃料消費量に基づき、前記燃料生成施設から適切な質及び量の燃料を取得し、当該取得した燃料を用いて生成したエネルギーを前記エネルギー消費施設に供給することを特徴とするエネルギー供給システム。
【請求項２】
複数の前記燃料生成施設を備えることを特徴とする請求項１記載のエネルギー供給施設。
【請求項３】
前記燃料生成施設は、廃棄物から燃料を生成する燃料生成手段と、前記生成された燃料の特性を検出する燃料特性検出手段と、前記検出された燃料特性の情報である燃料特性情報を前記エネルギー生成施設に送信する燃料特性情報送信手段と、当該燃料生成施設における燃料の生成可能な量情報を前記エネルギー生成施設に送信する燃料生成可能量情報送信手段と、前記エネルギー生成施設から燃料必要量情報を取得する燃料必要量情報取得手段と、前記燃料必要量情報に基づく量の前記燃料を前記エネルギー生成施設に供給する燃料供給手段と、を備え、
前記エネルギー生成施設は、前記燃料消費施設から予定燃料消費量情報を取得する予定燃料消費量情報取得手段と、前記燃料特性情報を取得する燃料特性情報取得手段と、前記燃料生成可能量情報を取得する燃料生成可能量情報取得手段と、前記予定燃料消費量情報、前記燃料特性情報及び前記燃料生成可能量情報に基づき前記燃料必要量情報を生成する燃料必要量情報生成手段と、前記燃料必要量情報を前記燃料生成施設に送信する燃料必要量情報送信手段と、前記燃料供給手段によって供給された前記燃料からエネルギーを生成するエネルギー生成手段と、前記生成されたエネルギーを前記エネルギー消費施設に供給するエネルギー供給手段と、を備え、
前記エネルギー消費施設は、前記所定作業内容に基づき前記予定燃料消費量情報を生成する予定燃料消費量情報生成手段と、前記予定燃料消費量情報を前記エネルギー生成施設に送信する予定燃料消費量情報送信手段と、前記エネルギー生成施設から供給されたエネルギーを使って所定作業を行う所定作業実行手段と、を備えることを特徴とする請求項１又は請求項２記載のエネルギー供給システム。
【請求項４】
前記燃料生成施設は、燃料情報管理用端末を備え、
前記エネルギー生成施設は、エネルギー情報管理用端末を備え、
前記エネルギー消費施設は、エネルギー消費情報管理用端末を備え、
前記燃料情報管理用端末と前記エネルギー情報管理用端末とを互いに通信可能に接続し、
前記エネルギー情報管理用端末と前記エネルギー消費情報管理用端末とを互いに通信可能に接続し、
前記燃料情報管理用端末は、前記燃料特性情報送信手段と、前記燃料生成可能量情報送信手段と、前記燃料必要量情報取得手段と、を備え、
エネルギー情報管理用端末は、前記予定燃料消費量情報取得手段と、前記燃料特性情報取得手段と、前記燃料生成可能量情報取得手段と、前記燃料必要量情報生成手段と、前記燃料必要量情報送信手段と、を備え、
エネルギー消費情報管理用端末は、前記予定燃料消費量情報生成手段と、前記予定燃料消費量情報送信手段と、を備えることを特徴とする請求項１乃至請求項３のいずれか１項に記載のエネルギー供給システム。
【請求項５】
請求項４記載のエネルギー供給システムにおける前記燃料情報管理用端末であって、
前記燃料特性検出された前記燃料特性の情報である燃料特性情報を前記エネルギー生成施設に送信する燃料特性情報送信手段と、前記燃料生成施設において生成可能な燃料量情報を前記エネルギー生成施設に送信する燃料生成可能量情報送信手段と、前記エネルギー生成施設から燃料必要量情報を取得する燃料必要量情報取得手段と、を備えることを特徴とする燃料情報管理用端末。
【請求項６】
請求項４記載のエネルギー供給システムにおける前記エネルギー情報管理用端末であって、
前記燃料消費施設から予定燃料消費量情報を取得する予定燃料消費量情報取得手段と、前記燃料特性情報を取得する燃料特性情報取得手段と、前記燃料生成可能量情報を取得する燃料生成可能量情報取得手段と、前記予定燃料消費量情報、前記燃料特性情報及び前記燃料生成可能量情報に基づき前記燃料必要量情報を生成する燃料必要量情報生成手段と、前記燃料必要量情報を前記燃料生成施設に送信する燃料必要量情報送信手段と、を備えることを特徴とするエネルギー情報管理用端末。
【請求項７】
請求項４記載のエネルギー供給システムにおける前記エネルギー消費情報管理用端末であって、
前記予定燃料消費量情報を前記エネルギー生成施設に送信する予定燃料消費量情報送信手段を備えることを特徴とするエネルギー消費情報管理用端末。
【請求項８】
請求項５記載の燃料情報管理用端末を制御するためのコンピュータが実行可能なプログラムであって、
前記燃料特性検出された前記燃料特性の情報である燃料特性情報を前記エネルギー生成施設に送信する燃料特性情報送信ステップと、前記燃料生成施設において生成可能な燃料量情報を前記エネルギー生成施設に送信する燃料生成可能量情報送信ステップと、前記エネルギー生成施設から燃料必要量情報を取得する燃料必要量情報取得ステップと、を備えることを特徴とする燃料情報管理用端末制御プログラム。
【請求項９】
請求項６記載のエネルギー情報管理用端末を制御するためのコンピュータが実行可能なプログラムであって、
前記燃料消費施設から予定燃料消費量情報を取得する予定燃料消費量情報取得ステップと、前記燃料特性情報を取得する燃料特性情報取得ステップと、前記燃料生成可能量情報を取得する燃料生成可能量情報取得ステップと、前記予定燃料消費量情報、前記燃料特性情報及び前記燃料生成可能量情報に基づき前記燃料必要量情報を生成する燃料必要量情報生成ステップと、前記燃料必要量情報を前記燃料生成施設に送信する燃料必要量情報送信ステップと、を備えることを特徴とするエネルギー情報管理用端末制御プログラム。
【請求項１０】
請求項７記載のエネルギー消費情報管理用端末を制御するためのコンピュータが実行可能なプログラムであって、
前記予定燃料消費量情報を前記エネルギー生成施設に送信する予定燃料消費量情報送信ステップを備えることを特徴とするエネルギー消費情報管理用端末制御プログラム。
【発明の詳細な説明】
【０００１】
【発明の属する技術分野】
廃棄物から生成された燃料からエネルギーを生成して消費施設に供給するエネルギー供給システムに係り、特に、エネルギー生成施設に対して、無駄のない必要量の燃料を供給し、且つ、消費施設に対して、安定したエネルギーの供給が可能なエネルギー供給システムに関する。
【０００２】
【従来の技術】
従来、廃棄物を炭化させて燃料を生成する炭化炉と、当該炭化炉で生成された燃料からエネルギーを生成するエネルギーセンタと、当該エネルギーセンタで生成されたエネルギーを利用して所定の作業を行うエネルギー消費施設と、から構成されるエネルギー供給システムがある。このシステムにおいては、炭化炉やエネルギーセンタでは、発生する廃棄物の量が予測しにくいため、消費施設に対してエネルギーを安定して供給するために、エネルギーセンタでは燃料を多めにストックしたり、炭化炉では必要な量の廃棄物を回収するために遠く離れた別の場所にある廃棄物収集所から廃棄物を回収したりするなどの処置が必要であった。
【０００３】
【発明が解決しようとする課題】
しかしながら、上記従来のエネルギー供給システムにあっては、廃棄物の種類等により、生成される炭のカロリーが変る為、炭のカロリーを一定に保つことが難しい。
また、飛灰等の残留物の量が調整ができない為、残留物の発生量により、残留物を溶融化する為のカロリーが変動し、回収可能なエネルギー量が安定しない。
【０００４】
また、一般にエネルギーセンタは地代の高い場所に設置されることが多く、燃料保管のためのストックヤードの確保が困難である。
そこで本発明は、上記問題に鑑み、燃料の大規模な保管場所を必要とせず、エネルギーセンタに対して必要な量及び必要な特性を有した燃料を安定して供給するのに好適なエネルギー供給システム、燃料情報管理用端末、エネルギー情報管理用端末、エネルギー消費情報管理用端末、燃料情報管理用端末制御プログラム、エネルギー情報管理用端末制御プログラム及びエネルギー消費情報管理用端末制御プログラムを提供することを目的としている。
【０００５】
【課題を解決するための手段】
上記目的を達成するために、本発明に係る請求項１記載のエネルギー供給システムは、廃棄物から燃料を生成する燃料生成施設と、前記燃料からエネルギーを生成するエネルギー生成施設と、前記エネルギーを消費して所定の作業を行うエネルギー消費施設と、を備え、
前記エネルギー生成施設は、前記エネルギー消費施設が所定期間に消費する予定の燃料量である予定燃料消費量に基づき、前記燃料生成施設から適切な質及び量の燃料を取得し、当該取得した燃料を用いて生成したエネルギーを前記エネルギー消費施設に供給することを特徴としている。
【０００６】
このような構成であれば、エネルギー生成施設は、エネルギー消費施設が所定期間に消費する予定の燃料量である予定燃料消費量に基づき、燃料生成施設から適切な質及び量の燃料を取得し、当該取得した燃料を用いて生成したエネルギーをエネルギー消費施設に供給することが可能である。
従って、無駄な燃料を取得することなく必要量の燃料のみを取得することが可能となるので、燃料のストックヤードの問題を改善することが可能である。更に、適切な質を有した燃料を取得するようにしたので、エネルギー消費施設に対して安定したエネルギーの供給が可能となる。
【０００７】
また、請求項２に係る発明は、請求項１記載のエネルギー供給システムにおいて、複数の前記燃料生成施設を備えることを特徴としている。
このような構成であれば、複数の燃料生成施設を有しているので、各施設から必要な質及び量の燃料を分散して収集することが可能となり、エネルギー消費施設に対して安定したエネルギーの供給がし易くなる。
【０００８】
また、請求項３に係る発明は、請求項１又は請求項２記載のエネルギー供給システムにおいて、前記燃料生成施設は、廃棄物から燃料を生成する燃料生成手段と、前記生成された燃料の特性を検出する燃料特性検出手段と、前記検出された燃料特性の情報である燃料特性情報を前記エネルギー生成施設に送信する燃料特性情報送信手段と、当該燃料生成施設における燃料の生成可能な量情報を前記エネルギー生成施設に送信する燃料生成可能量情報送信手段と、前記エネルギー生成施設から燃料必要量情報を取得する燃料必要量情報取得手段と、前記燃料必要量情報に基づく量の前記燃料を前記エネルギー生成施設に供給する燃料供給手段と、を備え、
前記エネルギー生成施設は、前記燃料消費施設から予定燃料消費量情報を取得する予定燃料消費量情報取得手段と、前記燃料特性情報を取得する燃料特性情報取得手段と、前記燃料生成可能量情報を取得する燃料生成可能量情報取得手段と、前記予定燃料消費量情報、前記燃料特性情報及び前記燃料生成可能量情報に基づき前記燃料必要量情報を生成する燃料必要量情報生成手段と、前記燃料必要量情報を前記燃料生成施設に送信する燃料必要量情報送信手段と、前記燃料供給手段によって供給された前記燃料からエネルギーを生成するエネルギー生成手段と、前記生成されたエネルギーを前記エネルギー消費施設に供給するエネルギー供給手段と、を備え、
前記エネルギー消費施設は、前記所定作業内容に基づき前記予定燃料消費量情報を生成する予定燃料消費量情報生成手段と、前記予定燃料消費量情報を前記エネルギー生成施設に送信する予定燃料消費量情報送信手段と、前記エネルギー生成施設から供給されたエネルギーを使って所定作業を行う所定作業実行手段と、を備えることを特徴としている。
【０００９】
このような構成であれば、燃料生成施設において、燃料生成手段によって、廃棄物から燃料を生成することが可能であり、燃料特性検出手段によって、前記生成された燃料の特性を検出することが可能であり、燃料特性情報送信手段によって、前記検出された燃料特性の情報である燃料特性情報を前記エネルギー生成施設に送信することが可能であり、燃料生成可能量情報送信手段によって、当該燃料生成施設において生成可能な燃料量情報を前記エネルギー生成施設に送信することが可能であり、燃料必要量情報取得手段によって、前記エネルギー生成施設から燃料必要量情報を取得することが可能であり、燃料供給手段によって、前記燃料必要量情報に基づく量の前記燃料を前記エネルギー生成施設に供給することが可能であり、
エネルギー生成施設において、予定燃料消費量情報取得手段によって、前記燃料消費施設から予定燃料消費量情報を取得することが可能であり、燃料特性情報取得手段によって、前記燃料特性情報を取得することが可能であり、燃料生成可能量情報取得手段によって、前記燃料生成可能量情報を取得することが可能であり、燃料必要量情報生成手段によって、前記予定燃料消費量情報、前記燃料特性情報及び前記燃料生成可能量情報に基づき前記燃料必要量情報を生成することが可能であり、燃料必要量情報送信手段によって、前記燃料必要量情報を前記燃料生成施設に送信することが可能であり、エネルギー生成手段によって、前記燃料供給手段によって供給された前記燃料からエネルギーを生成することが可能であり、エネルギー供給手段によって、前記生成されたエネルギーを前記エネルギー消費施設に供給することが可能であり、
エネルギー消費施設において、予定燃料消費量情報生成手段によって、前記所定作業内容に基づき前記予定燃料消費量情報を生成することが可能であり、予定燃料消費量情報送信手段によって、前記予定燃料消費量情報を前記エネルギー生成施設に送信することが可能であり、所定作業実行手段によって、前記エネルギー生成施設から供給されたエネルギーを使って所定作業を行うことが可能である。
【００１０】
従って、エネルギー生成施設は、エネルギー消費施設において予定されている燃料消費量及び燃料生成施設において生成された燃料の特性に基づいて、燃料生成施設から必要な量の燃料を取得し、これをエネルギーに変換してエネルギー消費施設に供給することが可能となるので、無駄な燃料を取得することなく必要量の燃料のみを取得することが可能となるので、燃料のストックヤードの問題を改善することが可能である。更に、燃料の特性に基づき必要な量の燃料を取得することで、安定したエネルギー生成を行うことが可能な燃料を取得することで、エネルギー消費施設に対して安定したエネルギーの供給が可能となる。
【００１１】
また、請求項４に係る発明は、請求項１乃至請求項３のいずれか１項に記載のエネルギー供給システムにおいて、前記燃料生成施設は、燃料情報管理用端末を備え、
前記エネルギー生成施設は、エネルギー情報管理用端末を備え、
前記エネルギー消費施設は、エネルギー消費情報管理用端末を備え、
前記燃料情報管理用端末とエネルギー情報管理用端末とを互いに通信可能に接続し、
前記エネルギー情報管理用端末と前記エネルギー消費情報管理用端末とを互いに通信可能に接続し、
前記燃料情報管理用端末は、前記燃料特性情報送信手段と、前記燃料生成可能量情報送信手段と、前記燃料必要量情報取得手段と、を備え、
エネルギー情報管理用端末は、前記予定燃料消費量情報取得手段と、前記燃料特性情報取得手段と、前記燃料生成可能量情報取得手段と、前記燃料必要量情報生成手段と、前記燃料必要量情報送信手段と、を備え、
エネルギー消費情報管理用端末は、前記予定燃料消費量情報生成手段と、前記予定燃料消費量情報送信手段と、を備えることを特徴としている。
【００１２】
つまり、エネルギー生成施設は、エネルギー情報管理用端末における、燃料特性情報送信手段によって、前記検出された燃料特性の情報である燃料特性情報を前記エネルギー生成施設に送信することが可能であり、燃料生成可能量情報送信手段によって、当該燃料生成施設において生成可能な燃料量情報を前記エネルギー生成施設に送信することが可能であり、燃料必要量情報取得手段によって、前記エネルギー生成施設から燃料必要量情報を取得することが可能であり、
エネルギー消費施設は、エネルギー消費情報管理用端末における、予定燃料消費量情報生成手段によって、前記所定作業内容に基づき前記予定燃料消費量情報を生成することが可能であり、予定燃料消費量情報送信手段によって、前記予定燃料消費量情報を前記エネルギー生成施設に送信することが可能であり、
エネルギー消費施設は、エネルギー消費情報管理用端末における、予定燃料消費量情報生成手段によって、前記所定作業内容に基づき前記予定燃料消費量情報を生成することが可能であり、予定燃料消費量情報送信手段によって、前記予定燃料消費量情報を前記エネルギー生成施設に送信することが可能である。
【００１３】
従って、各端末をインターネットや専用線などを介して接続することで、お互いが離れた位置にあっても、簡易に必要な情報の通信を行うことができる。従って、無駄な燃料を取得することなく必要量の燃料のみを取得することが可能となるので、燃料のストックヤードの問題を改善することが可能である。更に、燃料の特性に基づき必要な量の燃料を取得することが可能となるので、安定したエネルギー生成を行うことが可能な燃料を取得することで、エネルギー消費施設に対して安定したエネルギーの供給が可能となる。
【００１４】
また、本発明に係る請求項５記載の燃料情報管理用端末は、請求項４記載のエネルギー供給システムにおける前記燃料情報管理用端末であって、
前記燃料特性検出された前記燃料特性の情報である燃料特性情報を前記エネルギー生成施設に送信する燃料特性情報送信手段と、前記燃料生成施設において生成可能な燃料量情報を前記エネルギー生成施設に送信する燃料生成可能量情報送信手段と、前記エネルギー生成施設から燃料必要量情報を取得する燃料必要量情報取得手段と、を備えることを特徴としている。
ここで、本発明は、請求項２に記載の燃料情報管理用端末であり、その作用効果は重複するので記載を省略する。
【００１５】
また、本発明に係る請求項６記載のエネルギー情報管理用端末は、請求項４記載のエネルギー供給システムにおける前記エネルギー情報管理用端末であって、
前記燃料消費施設から予定燃料消費量情報を取得する予定燃料消費量情報取得手段と、前記燃料特性情報を取得する燃料特性情報取得手段と、前記燃料生成可能量情報を取得する燃料生成可能量情報取得手段と、前記予定燃料消費量情報、前記燃料特性情報及び前記燃料生成可能量情報に基づき前記燃料必要量情報を生成する燃料必要量情報生成手段と、前記燃料必要量情報を前記燃料生成施設に送信する燃料必要量情報送信手段と、を備えることを特徴としている。
【００１６】
ここで、本発明は、請求項４に記載のエネルギー情報管理用端末であり、その作用効果は重複するので記載を省略する。
また、本発明に係る請求項７記載のエネルギー消費情報管理用端末は、請求項４記載のエネルギー供給システムにおける前記エネルギー消費情報管理用端末であって、
前記予定燃料消費量情報を前記エネルギー生成施設に送信する予定燃料消費量情報送信手段を備えることを特徴としている。
ここで、本発明は、請求項４に記載のエネルギー消費情報管理用端末であり、その作用効果は重複するので記載を省略する。
【００１７】
また、本発明に係る請求項８記載の燃料情報管理用端末制御プログラムは、請求項５記載の燃料情報管理用端末を制御するためのコンピュータが実行可能なプログラムであって、
前記燃料特性検出された前記燃料特性の情報である燃料特性情報を前記エネルギー生成施設に送信する燃料特性情報送信ステップと、前記燃料生成施設において生成可能な燃料量情報を前記エネルギー生成施設に送信する燃料生成可能量情報送信ステップと、前記エネルギー生成施設から燃料必要量情報を取得する燃料必要量情報取得ステップと、を備えることを特徴としている。
ここで、本発明は、請求項５記載の燃料情報管理用端末を制御するためのプログラムであり、その効果は重複するので記載を省略する。
【００１８】
また、本発明に係る請求項９記載のエネルギー情報管理用端末制御プログラムは、請求項６記載のエネルギー情報管理用端末を制御するためのコンピュータが実行可能なプログラムであって、
前記燃料消費施設から予定燃料消費量情報を取得する予定燃料消費量情報取得ステップと、前記燃料特性情報を取得する燃料特性情報取得ステップと、前記燃料生成可能量情報を取得する燃料生成可能量情報取得ステップと、前記予定燃料消費量情報、前記燃料特性情報及び前記燃料生成可能量情報に基づき前記燃料必要量情報を生成する燃料必要量情報生成ステップと、前記燃料必要量情報を前記燃料生成施設に送信する燃料必要量情報送信ステップと、を備えることを特徴としている。
ここで、本発明は、請求項６記載のエネルギー情報管理用端末を制御するためのプログラムであり、その効果は重複するので記載を省略する。
【００１９】
また、本発明に係る請求項１０記載のエネルギー消費情報管理用端末制御プログラムは、請求項７記載のエネルギー消費情報管理用端末を制御するためのコンピュータが実行可能なプログラムであって、
前記予定燃料消費量情報を前記エネルギー生成施設に送信する予定燃料消費量情報送信ステップを備えることを特徴としている。
ここで、本発明は、請求項７記載のエネルギー消費情報管理用端末を制御するためのプログラムであり、その効果は重複するので記載を省略する。
【００２０】
【発明の実施の形態】
以下、本発明の実施の形態を図面に基づいて説明する。図１乃至図１２は、本発明に係るエネルギー供給システムの実施の形態を示す図である。
まず、本発明に係るエネルギー供給システムの構成を図１に基づいて説明する。図１は、本発明に係るエネルギー供給システムの構成を示すブロック図である。
【００２１】
エネルギー供給システム１は、複数の廃棄物収集所１０と、複数の燃料生成施設１１と、エネルギー生成施設１２と、エネルギー消費施設１３と、を含んだ構成となっている。
廃棄物収集所１０は、住民からの生活ごみや、企業からの業務ごみ、その他産業廃棄物等の廃棄物を収集する場所であり、本実施の形態においては、これら廃棄物の中から燃料化可能な廃棄物を燃料生成施設１１に運搬する。
【００２２】
燃料生成施設１１は、廃棄物収集所１０から運び込まれた廃棄物から燃料を生成することが可能な施設である。生成された燃料は、トラック等でエネルギー生成施設１２に運ばれる。なお、詳細な構成は後述する。
エネルギー生成施設１２は、燃料生成施設１１から運び込まれた燃料から熱や電気等のエネルギーを生成する施設である。例えば、図２に示すように、燃料の炭から電力を生成するシステムがある。生成されたエネルギーは、エネルギー消費施設１３に供給される。なお、詳細な構成は後述する。
【００２３】
エネルギー消費施設１３は、エネルギー生成施設１２から供給されたエネルギーを利用して所定の作業を行う施設で、例えば、電力会社やセメント会社等が有する工場などの施設がある。なお、詳細な構成は後述する。
更に、図３に基づき、燃料生成施設１１の詳細構成を説明する。図３は、エネルギー生成施設の詳細構成を示すブロック図である。
【００２４】
図３に示すように、燃料生成施設１１は、燃料生成所１１ａと、燃料特性検出部１１ｂと、燃料情報管理用端末１１ｃと、燃料保管所１１ｄと、を含んだ構成となっている。
燃料生成所１１ａは、上記した廃棄物から炭や燃料ガス等の燃料を生成するところで、廃棄物はここで加熱処理等をされることになる。
【００２５】
燃料特性検出部１１ｂは、廃棄物の種類によって変わる燃料の特性を検出するもので、生成された燃料の中からサンプルを抽出してその特性（カロリー量等）を検出する。
燃料情報管理用端末１１ｃは、通信回線と介して後述するエネルギー情報管理用端末１２ｂと通信可能に接続されており、燃料特性検出部１１ｂの検出結果やエネルギー情報管理用端末１２ｂからの情報などに基づき、燃料特性情報及び燃料生成可能量情報の生成処理や、これら情報の送信処理などを行う。なお、詳細な構成は後述する。
【００２６】
燃料保管所１１ｄは、燃料生成所１１ａにおいて生成された燃料を、各燃料の特性に合わせて分けて保管するところである。ここで、燃料の運搬方法としては、例えば、燃料保管所１１ｄからトラックなどに燃料を積載して、エネルギー生成所１２に運ぶ方法がある。その他、貨物列車、貨物船、飛行機、パイプライン等を利用しても良い。
【００２７】
更に、図４に基づきエネルギー生成施設１２の詳細構成を説明する。図４は、エネルギー生成施設１２の詳細構成を示すブロック図である。
図４に示すように、エネルギー生成施設１２は、エネルギー生成所１２ａと、エネルギー情報管理用端末１２ｂと、エネルギー供給所１２ｃと、を含んだ構成となっている。
エネルギー生成所１２ａは、燃料生成施設１１から取得した燃料を用いて、図２にも示したような電気エネルギーや、その他熱エネルギー等を生成するところである。
【００２８】
エネルギー情報管理用端末１２ｂは、上記した燃料情報管理用端末１１ｃ及び後述するエネルギー消費情報管理用端末１３ａと電気通信回線を介して通信可能に接続されており、燃料情報管理用端末１１ｃ及び後述するエネルギー消費情報管理用端末１３ａから取得した情報に基づき燃料必要量情報等を生成処理や、情報の送信処理などを行う。なお、詳細な構成は後述する。
【００２９】
エネルギー供給所１２ｃは、エネルギー生成所１２ａにおいて生成されたエネルギーをエネルギー消費施設１３に供給するところである。ここで、エネルギー生成施設１２及びエネルギー消費施設１３は比較的近い場所にあり、専用電線や専用管等によってエネルギーが供給されることになる。
更に、図５に基づきエネルギー消費施設１３の詳細構成を説明する。図５は、エネルギー消費施設１３の詳細構成を示すブロック図である。
【００３０】
図５に示すように、エネルギー消費施設１３は、エネルギー消費情報管理用端末１３ａと、エネルギー受給所１３ｂと、作業実行所１３ｃと、を含んだ構成となっている。
エネルギー消費情報管理用端末１３ａは、エネルギー情報管理用端末１２ｂと電気通信回線を介して通信可能に接続されており、作業実行所１３ｃにおける予定燃料消費量に基づき、予定燃料消費量情報を生成してエネルギー情報管理用端末１２ｂに伝送する処理などを行う。なお、詳細な構成は後述する。
【００３１】
エネルギー受給所１３ｂは、エネルギー生成施設１２におけるエネルギー供給所からのエネルギーを受給するところであり、ここから、作業実行所１３ｃへとエネルギーが供給される。
作業実行所１３ｃは、エネルギー受給所１３ｂから供給されるエネルギーを動力源として工業機械等を動作させて所定の作業を行うところである。
更に、図６に基づき、燃料情報管理用端末１１ｃ、エネルギー情報管理用端末１２ｂ及びエネルギー消費情報管理用端末１３ａの接続構成を説明する。図６は、燃料情報管理用端末１１ｃ、エネルギー情報管理用端末１２ｂ及びエネルギー消費情報管理用端末１３ａの接続構成を示すブロック図である。
【００３２】
図６に示すように、複数の燃料情報管理用端末１１ｃとエネルギー情報管理用端末１２ｂとが互いに通信可能に接続されており、エネルギー情報管理用端末１２ｂとエネルギー消費情報管理用端末１３ａとが互いに通信可能に接続されている。
更に、図７に基づき、燃料情報管理用端末１１ｃの詳細な構成を説明する。図７は、燃料情報管理用端末１１ｃの詳細構成を示すブロック図である。
図７に示すように、燃料情報管理用端末１１ｃは、燃料特性情報送信部１１０と、燃料生成可能量情報送信部１１１と、燃料必要量情報取得部１１２と、データ通信部１１３と、情報記憶部１１４と、を含んだ構成となっている。
【００３３】
燃料特性情報送信部１１０は、情報記憶部１１４に記憶された燃料特性検出部１１ｂの検出結果を読み出して、この検出結果に基づき燃料特性情報を生成し、更に、生成した燃料特性情報を燃料生成可能量情報送信部１１１に伝送する機能を有したものである。
燃料生成可能量情報送信部１１１は、まず、情報記憶部１１４に記憶された、回収された廃棄物の量の情報に基づいて決定された生成可能な燃料量の情報を読み出し、次に、この読み出した燃料量情報及び燃料特性情報送信部１１０から取得した燃料特性情報に基づき燃料生成可能量情報を生成する機能を備えている。ここで、燃料生成可能量情報には、少なくとも、どのような特性の燃料がどれだけ生成可能かを示す情報が含まれている。更に、生成された燃料生成可能量情報をデータ通信部１１３を介してエネルギー情報管理用端末１２ｂに送信する機能も備えている。
【００３４】
燃料必要量情報取得部１１２は、エネルギー情報管理用端末１２ｂから送信された燃料必要量情報をデータ通信部１１３を介して取得し、データ記憶部１１４の所定記憶領域に記憶する機能を備えたものである。
データ通信部１１３は、エネルギー情報管理用端末１２ｂとの間のデータ通信を制御する機能を備えたものである。
【００３５】
情報記憶部１１４は、上記したように燃料特性検出部１１ｂの検出結果や回収した廃棄物の量の情報など各種情報を記憶することが可能な記憶媒体である。
更に、図８に基づき、エネルギー情報管理用端末１２ｂの詳細構成を説明する。図８は、エネルギー情報管理用端末１２ｂの詳細構成を示すブロック図である。
【００３６】
図８に示すように、エネルギー情報管理用端末１２ｂは、燃料情報取得部１２０と、燃料必要量情報送信部１２１と、予定燃料消費量情報取得部１２２と、データ通信部１２３と、情報記憶部１２４と、を含んだ構成となっている。
燃料情報取得部１２０は、各燃料情報管理用端末１１ｃから、上記した燃料特性情報及び燃料生成可能量情報をデータ通信部１２３を介して取得し、これを情報記憶部１２４の所定領域に記憶する機能を備えたものである。
【００３７】
予定燃料消費量情報取得部１２１は、エネルギー消費施設１３から、例えば、当該エネルギー消費施設１３において所定期間（例えば、１週間）に消費する予定の燃料量である予定燃料消費量情報を、データ通信部１２３を介して取得し、これを情報記憶部１２４の所定領域に記憶する機能を備えたものである。
燃料必要量情報送信部１２２は、まず、データ記憶部１２４から、上記燃料特性情報、上記燃料生成可能量情報及び上記予定燃料消費量情報を読み出し、次に、これら読み出した情報に基づき、各燃料生成施設１１に対する燃料必要量情報を生成する機能を備えたものである。更に、生成した燃料必要量情報を、データ通信部１２３を介して各燃料情報管理用端末１１ｃに送信する機能も備えている。
【００３８】
データ通信部１２３は、燃料情報管理用端末１１ｃ及びエネルギー消費情報管理用端末１３ａとの間のデータ通信を制御する機能を備えたものである。
情報記憶部１２４は、上記した、燃料特性情報、燃料生成可能量情報、予定燃料消費量情報などの各種情報を記憶することが可能な記憶媒体である。
更に、図９に基づき、エネルギー消費情報管理用端末１３ａの詳細構成を説明する。図９は、エネルギー消費情報管理用端末１３ａの詳細構成を示すブロック図である。
【００３９】
図９に示すように、エネルギー消費情報管理用端末１３ａは、予定燃料消費量情報送信部１３０と、データ通信部１３１と、情報記憶部１３２と、を含んだ構成となっている。
予定燃料消費量情報送信部１３０は、情報記憶部１３２に記憶された作業スケジュール情報を読み出し、この読み出した情報に基づき、上記した予定燃料消費量情報を生成して、これをデータ通信部１３１を介してエネルギー情報管理用端末１２ｂに送信する機能を備えたものである。
【００４０】
データ通信部１３１は、エネルギー情報管理用端末１２ｂとの間のデータ通信を制御する機能を備えたものである。
情報記憶部１３２は、上記した作業スケジュール情報などを記憶することが可能な記憶媒体である。
以下、エネルギー供給システム１のより具体的な動作を説明する。
まず、エネルギー消費施設１３の備えるエネルギー消費情報管理用端末１３ａにおいて、例えば、オペレータ等の操作により専用の制御プログラムＦを実行する。
【００４１】
制御プログラムＦが実行され、予定燃料消費量情報の送信処理が実行されると、予定燃料消費量情報送信部１３０によって、情報記憶部１３２から作業実行所１３ｃの作業スケジュール情報が読み出される。ここで、本実施の形態において、作業スケジュール情報は、翌日あるいは翌週などのスケジュール情報がオペレータによって入力され情報記憶部１３２に記憶されることで用意される。
【００４２】
作業スケジュール情報が読み出されると、次に、この情報に基づき、例えば、翌日に作業実行所１３ｃにおいて消費される予定のエネルギー消費量を算出する。そして、この算出結果に基づき、翌日に消費されるエネルギー量を示す予定燃料消費量情報を生成して、この情報をデータ通信部１３１を介して、エネルギー生成施設１２の備えるエネルギー情報管理用端末１２ｂに送信する。
【００４３】
一方、エネルギー情報管理用端末１２ｂは、常に専用の制御プログラムＥが実行状態にあり、予定燃料消費量情報取得部１２１によって、データ通信部１２３を介して上記予定燃料消費量情報を取得すると、この情報を情報記憶部１２４の所定領域に記憶する。記憶処理が終了すると、予定燃料消費量情報取得部１２１は、図示しない専用のレジスタを用いてフラグＡを設定する。
【００４４】
燃料情報取得部１２０は、専用のレジスタにフラグＡが設定されると、各燃料生成施設１１の備える燃料情報管理用端末１１ｃから、燃料生成可能量情報を取得するための取得要求を、データ通信部１２３を介して、複数ある燃料生成施設１１の各燃料情報管理用端末１１ｃに送信する。
また、各燃料情報管理用端末１１ｃは、上記エネルギー情報管理用端末１２ｂと同様に常に専用の制御プログラムＣが実行状態にあり、データ通信部１１３を介して上記取得要求を受信すると、この取得要求を、燃料特性情報送信部１１０及び燃料生成可能量情報送信部１１１に伝送する。燃料特性情報送信部１１０は、この取得要求を受信すると、情報記憶部１１４から、燃料特性検出部１１ｂの検出結果を読み出し、この情報に基づき、現在生成可能な燃料の特性情報（カロリー量等）を含む燃料特性情報を生成して、これを燃料生成可能量情報送信部１１１に伝送する。
【００４５】
また、燃料生成可能量情報送信部１１１は、上記取得要求及び上記燃料特性情報を取得すると、情報記憶部１１４から、燃料生成所１１ａにおいて生成可能な燃料量情報を読み出し、この情報及び前記燃料特性情報に基づき、燃料生成可能量情報を生成して、これをデータ通信部１１３を介してエネルギー情報管理用端末１２ｂに送信する。
【００４６】
更に、取得要求送信後のエネルギー情報管理用端末１２ｂは、燃料情報取得部１２０において、各燃料情報管理用端末１１ｃから送信された燃料生成可能量情報を、データ通信部１３１を介して受信すると、これらの情報を、各燃料生成施設毎に分けて情報記憶部１２４に記憶する。記憶処理が終了すると、図示しない専用のレジスタにフラグＢを設定する。
【００４７】
燃料必要量情報送信部１２２は、専用のレジスタにフラグＢが設定されると、情報記憶部１２４から、各燃料生成施設１１に対応する燃料生成可能量情報を読み出し、これらの情報に基づき各燃料施設毎に、燃料必要量情報を生成する。そして、生成された燃料必要量情報を、データ通信部１２３を介して、各燃料情報管理用端末１１ｃに伝送する。つまり、各燃料生成施設１１において生成可能な燃料の特性及び燃料量を考慮して、エネルギー消費施設１３の作業実行所１３ｃにおいて必要なエネルギー量を確保できるように、各燃料生成施設１１に対して、必要な燃料量を通知する。ここで、本実施の形態において、燃料必要量情報は、エネルギー消費施設１３に対して安定したエネルギーの供給が出来るように、燃料をブレンドすることも考慮してその内容が決定されているものである。
【００４８】
更に、各燃料生成施設１１では、燃料情報管理用端末１１ｃにおける燃料必要量情報取得部１１２において、データ通信部１１３を介して、燃料必要量情報を受信すると、この情報を情報記憶部１１４に記憶する。そして、当該記憶された燃料必要量情報を、図示しない表示部に表示したりすることで燃料生成施設における関係者等に知らせる。関係者は、この情報に基づき、燃料生成所１１ａにおいて、必要な量の燃料を生成したり、あるいは、必要な燃料量が燃料保管所にある場合は、そこから燃料をトラック等の運搬手段に積載して、エネルギー生成施設１２に運搬する。
【００４９】
更に、エネルギー生成施設１２では、各燃料生成施設１１から燃料が到着すると、エネルギー生成時に、生成されるエネルギーが一定になるように、各燃料を必要に応じてブレンドする。そして、エネルギー生成所１２ａにおいて、例えば、燃料が炭である場合は、図２に示すような設備によって、まず炭を燃やして蒸気を発生させ、この蒸気の力を利用して電気エネルギーを生成する。生成された熱エネルギーは、エネルギー供給所１２ｃによって、エネルギー消費施設１３に供給される。
【００５０】
更に、エネルギー消費施設１３では、エネルギー生成施設１２から供給されたエネルギーをエネルギー受給所１３ｂにおいて受給し、これを作業スケジュールに合わせて作業実行所１３ｃに供給する。
更に、図１０に基づき、エネルギー消費情報管理用端末１３ａの制御プログラムＣの処理の流れを説明する。図１０は、エネルギー消費情報管理用端末１３ａの制御プログラムＣの処理を示すフローチャートである。
【００５１】
図１０に示すように、まずステップＳ１００に移行し、予定燃料消費量情報送信部１３０において、オペレータによる操作によって予定燃料消費量情報の送信処理が実行されたか否かを判定し、実行されたと判定された場合（Ｙｅｓ）はステップＳ１０２に移行し、そうでない場合（Ｎｏ）は実行されるまで待機する。
ステップＳ１０２に移行した場合は、予定燃料消費量情報送信部１３０において、情報記憶部１３２から作業スケジュール情報を読み出す処理が実行されステップＳ１０４に移行する。
【００５２】
ステップＳ１０４では、予定燃料消費量情報送信部１３０において、読み出した作業スケジュール情報に基づきエネルギー消費量を算出しステップＳ１０６に移行する。
ステップＳ１０６では、予定燃料消費量情報送信部１３０において、上記算出結果に基づき予定燃料消費量情報を生成してステップＳ１０８に移行する。
【００５３】
ステップＳ１０８では、予定燃料消費量情報送信部１３０において、上記生成された予定燃料消費量情報を、データ通信部１３１を介してエネルギー情報管理用端末１２ｂに送信してステップＳ１００に移行する。
更に、図１１に基づき、エネルギー情報管理用端末１２ｂの制御プログラムＥの処理の流れを説明する。図１１は、エネルギー情報管理用端末１２ｂの制御プログラムＥの処理を示すフローチャートである。
【００５４】
図１１に示すように、まずステップＳ２００に移行し、予定燃料消費量情報取得部１２１において、エネルギー消費情報管理用端末１３ａから予定燃料消費量情報を取得したか否かを判定し、取得したと判定された場合（Ｙｅｓ）はステップＳ２０２に移行し、そうでない場合（Ｎｏ）は取得するまで待機する。
ステップＳ２０２に移行した場合は、予定燃料消費量情報取得部１２１において、上記取得した予定燃料消費量情報を情報記憶部１２４に記憶する処理を実行しステップＳ２０４に移行する。
【００５５】
ステップＳ２０４では、予定燃料消費量情報取得部１２１において、上記記憶処理が完了した後に、専用のレジスタにフラグＡを設定してステップＳ２０６に移行する。
ステップＳ２０６では、燃料情報取得部１２０において、フラグＡの設定を確認すると、各燃料情報管理用端末１１ｃから予定燃料消費量情報を取得するための取得要求をデータ通信部１２３を介して各燃料情報管理用端末１１ｃに送信してステップＳ２０８に移行する。
【００５６】
ステップＳ２０８では、燃料情報取得部１２０において、各燃料情報管理用端末１１ｃから燃料生成可能量情報を取得したか否かを判定し、取得したと判定された場合（Ｙｅｓ）はステップＳ２１０に移行し、そうでない場合（Ｎｏ）は取得するまで待機する。
ステップＳ２１０に移行した場合は、燃料情報取得部１２０において、上記取得した燃料生成可能量情報を情報記憶部１２４に記憶する処理を実行しステップＳ２１２に移行する。
【００５７】
ステップＳ２１２では、燃料情報取得部１２０において、上記記憶処理が完了した後に、専用のレジスタにフラグＢを設定してステップＳ２１４に移行する。
ステップＳ２１４では、燃料必要量情報送信部１２２において、フラグＢの設定を確認すると、情報記憶部１２４から燃料生成可能量情報を読み出してステップＳ２１６に移行する。
【００５８】
ステップＳ２１６では、燃料必要量情報送信部１２２において、各燃料生成施設１１に対応した燃料生成可能量情報に基づき、燃料必要量情報を生成してステップＳ２１８に移行する。
ステップＳ２１８では、燃料必要量情報送信部１２２において、各燃料情報管理用端末１１ｃにそれぞれ対応する燃料必要量情報をデータ通信部１２３を介して送信してステップＳ２００に移行する。
【００５９】
更に、図１２に基づき、燃料情報管理用端末１１ｃの制御プログラムＦの処理の流れを説明する。図１２は、燃料情報管理用端末１１ｃの制御プログラムＦの処理を示すフローチャートである。
図１２に示すように、まずステップＳ３００に移行し、燃料特性情報送信部１１０において、エネルギー情報管理用端末１２ｂからの取得要求を取得したか否かを判定し、取得したと判定された場合（Ｙｅｓ）はステップＳ３０２に移行し、そうでない場合（Ｎｏ）は取得するまで待機する。
【００６０】
ステップＳ３０２に移行した場合は、燃料特性情報送信部１１０において、情報記憶部１１４から燃料特性検出部１１ｂの検出結果を読み出してステップＳ３０４に移行する。
ステップＳ３０４では、燃料特性情報送信部１１０において、上記読み出した検出結果に基づき燃料特性情報を生成してステップＳ３０６に移行する。
【００６１】
ステップＳ３０６では、燃料特性情報送信部１１０において、上記生成した燃料特性情報を燃料生成可能量情報送信部１１１に伝送してステップＳ３０８に移行する。
ステップＳ３０８では、燃料生成可能量情報送信部１１１において、エネルギー情報管理用端末１２ｂからの取得要求及び燃料特性情報送信部１１０からの燃料特性情報を取得したか否かを判定し、取得したと判定された場合（Ｙｅｓ）はステップＳ３１０に移行し、そうでない場合（Ｎｏ）は取得するまで待機する。
【００６２】
ステップＳ３１０に移行した場合は、燃料生成可能量情報送信部１１１において、情報記憶部１１４から燃料量情報を読み出しステップＳ３１２に移行する。
ステップＳ３１２では、燃料生成可能量情報送信部１１１において、上記読み出した燃料量情報及び上記取得した燃料特性情報に基づき、燃料生成可能量情報を生成してステップＳ３１４に移行する。
【００６３】
ステップＳ３１４では、燃料生成可能量情報送信部１１１において、上記生成された燃料生成可能量情報を、データ通信部１１３を介してエネルギー情報管理用端末１２ｂに送信してステップＳ３１６に移行する。
ステップＳ３１６では、燃料必要量情報取得部１１２において、エネルギー情報管理用端末１２ｂから燃料必要量情報を取得したか否かを判定し、取得したと判定された場合（Ｙｅｓ）はステップＳ３１８に移行し、そうでない場合（Ｎｏ）は取得するまで待機する。
【００６４】
ステップＳ３１８に移行した場合は、燃料必要量情報取得部１１２において、情報記憶部１１４に上記取得した燃料必要量情報を記憶してステップＳ３２０に移行する。
ステップＳ３２０では、図示しない通知部において、図示しない表示部等に、燃料必要量情報を表示するなどして、燃料必要量を燃料生成施設１１の関係者に通知してステップＳ３００に移行する。
【００６５】
以上、エネルギー消費情報管理用端末１３ａ、エネルギー情報管理用端末１２ｂ及び燃料情報管理用端末１１ｃを通信回線を介して図６に示す構成で接続したので、各端末において生成される予定燃料消費量情報、燃料生成可能量情報、燃料必要量情報等の各種情報の送受信を行うことが可能である。そして、これらの送受される情報に基づき、エネルギー生成施設１２において、エネルギー消費施設１３で翌日等に消費される予定の消費エネルギー量に合わせて、各燃料生成施設１１から必要な量及び質の燃料を取得し、これら取得した燃料を用いてエネルギーを生成し、当該生成されたエネルギーをエネルギー消費施設に供給することが可能である。
【００６６】
ここで、図３に示す、燃料生成所１１ａは、請求項３記載の燃料生成手段に対応し、燃料特性検出部１１ｂは、燃料特性検出手段に対応し、図４に示す、エネルギー生成所１２ａは、請求項３記載のエネルギー生成手段に対応し、エネルギー供給所１２ｃは、エネルギー供給手段に対応し、図５に示す、作業実行所１３ｃは、請求項３記載の所定作業実行手段に対応し、図７に示す、燃料特性情報送信部１１０は、請求項３乃至請求項５のいずれかに記載の燃料特性情報送信手段に対応し、燃料生成可能量情報送信部１１１は、請求項３乃至請求項５のいずれかに記載の燃料生成可能量情報送信手段に対応し、燃料必要量情報取得部１１２は、請求項３乃至請求項５のいずれかに記載の燃料必要量情報取得手段に対応し、燃料情報取得部１２０は、請求項３、４及び請求項６のいずれかに記載の燃料特性情報取得手段と請求項３、４及び請求項６のいずれかに記載の燃料生成可能量情報取得手段とに対応し、予定燃料消費量取得部１２１は、請求項３、４及び請求項６のいずれかに記載の予定燃料消費量情報取得手段に対応し、燃料必要量情報送信部１２２は、請求項３、４及び請求項６のいずれかに記載の燃料必要量情報送信手段に対応し、図９に示す、予定燃料消費量情報送信部１３０は、請求項３、４及び請求項７のいずれかに記載の予定燃料消費量情報送信手段に対応する。
【００６７】
なお、上記実施の形態においては、エネルギー生成施設１２及びエネルギー消費施設１３が、それぞれ１つしかない構成を説明しているが、これに限らず、エネルギー生成施設１２を複数備える構成や、エネルギー消費施設１３を複数備える構成など、あるいは、両者を複数備える構成等、他の構成でも良く、上記した構成に限定するものではない。
【００６８】
また、上記実施の形態においては、エネルギー消費施設１３における作業実行所１３ｃにおいて、エネルギー生成施設１２から供給されたエネルギーにより工業機械等を動作させる一例を説明したが、このように作業実行所においてエネルギーの消費による作業結果がその場で利用されるような例に限らず、本発明を、地域熱供給システムなどのように、エネルギー消費による作業結果を、複数の需要家に供給するようなシステムに適用しても良い。
【００６９】
また、本発明を、上記したように、エネルギー消費による作業結果を、複数の需要家に供給するようなシステムに適用する場合に、複数の需要家を群（例えば、マンション、会社のビル等）として捉え、各群から、例えば、天候情報、温度変位情報、要求温度情報等のエネルギーの需要に係る情報を収集できるような構成としても良い。つまり、この収集した情報に基づいて需要予測を行える構成とすることで、エネルギー生成施設１２に対するより適切な燃料供給量を決定することが可能となる。例えば、前記各群毎に上記エネルギー供給システム１とネットワークで接続された情報収集用の端末を用意し、これら各群の端末からの上記したような情報をエネルギー消費情報管理用端末１３ａによって収集管理し、この収集された情報に基づきエネルギー消費施設１３における作業スケジュールを決定するといった構成が考えられる。
【００７０】
【発明の効果】
以上説明したように、本発明に係るエネルギー供給システムは、エネルギー生成施設において、エネルギー消費施設において消費される予定量の燃料を、その質等を考慮して燃料生成施設から取得し、この取得した燃料からエネルギーを生成してエネルギー消費施設に供給するようにしたので、必要な燃料のみを取得することにより、燃料のストックヤードの問題を改善し、取得する燃料の質を考慮することにより、燃料の質を一定にし、エネルギー消費施設に安定したエネルギーの供給が可能となるといった効果が得られる。
ここで、本発明に係る、燃料情報管理用端末、エネルギー情報管理用端末、エネルギー消費情報管理用端末、燃料情報管理用端末制御プログラム、エネルギー情報管理用端末制御プログラム及びエネルギー消費情報管理用端末制御プログラムは上記エネルギー供給システムを構成するために必要なものであり、その効果は重複するので記載を省略する。
【図面の簡単な説明】
【図１】本発明に係るエネルギー供給システムの構成を示すブロック図である。
【図２】燃料の炭から電力を生成するシステムの構成を示す図である。
【図３】エネルギー生成施設の構成を示すブロック図である。
【図４】エネルギー生成施設１２の詳細構成を示すブロック図である。
【図５】エネルギー消費施設１３の詳細構成を示すブロック図である。
【図６】燃料情報管理用端末１１ｃ、エネルギー情報管理用端末１２ｂ及びエネルギー消費情報管理用端末１３ａの接続構成を示すブロック図である。
【図７】燃料情報管理用端末１１ｃの詳細構成を示すブロック図である。
【図８】エネルギー情報管理用端末１２ｂの詳細構成を示すブロック図である。
【図９】エネルギー消費情報管理用端末１３ａの詳細構成を示すブロック図である。
【図１０】エネルギー消費情報管理用端末１３ａの制御プログラムＣの処理を示すフローチャートである。
【図１１】エネルギー情報管理用端末１２ｂの制御プログラムＥの処理を示すフローチャートである。
【図１２】燃料情報管理用端末１１ｃの制御プログラムＦの処理を示すフローチャートである。
【符号の説明】
１                エネルギー供給システム
１０              廃棄物収集所
１１              燃料生成施設
１１ａ            燃料生成所
１１ｂ            燃料特性検出部
１１ｃ            燃料情報管理用端末
１２              エネルギー生成施設
１２ａ            エネルギー生成所
１２ｂ            エネルギー情報管理用端末
１２ｃ            エネルギー供給所
１３              エネルギー消費施設
１３ａ            エネルギー消費情報管理用端末
１３ｃ            作業実行所
１１０            燃料特性情報送信部
１１１            燃料生成可能量情報送信部
１１２            燃料必要量情報取得部
１２０            燃料情報取得部
１２１            予定燃料消費量情報取得部
１２２            燃料必要量情報送信部
１３０            予定燃料消費量情報送信部
【図１】
2005040698.tif 000003
【図２】
2005040698.tif 000004
【図３】
2005040698.tif 000005
【図４】
2005040698.tif 000006
【図５】
2005040698.tif 000007
【図６】
2005040698.tif 000008
【図７】
2005040698.tif 000009
【図８】
2005040698.tif 000010
【図９】
2005040698.tif 000011
【図１０】
2005040698.tif 000012
【図１１】
2005040698.tif 000013
【図１２】
2005040698.tif 000014